(57)【要約】【課題】塩素、硫黄あるいはリンを含有する化合物を配合しなくとも難加工材に対して優れた加工性を発揮でき、工具寿命を延ばすことの可能な水溶性金属加工油剤を提供する。【解決手段】下記のＡ成分、Ｂ成分、Ｃ成分およびＤ成分を配合してなる水溶性金属加工油剤であって、前記Ａ成分の配合量が、油剤全量基準で１０質量％以上であり、前記Ｂ成分の配合量が、油剤全量基準で５質量％以上であることを特徴とする水溶性金属加工油剤。（Ａ）リシノール酸を脱水縮合させることにより得られる縮合脂肪酸、および、リシノール酸を脱水縮合させることにより得られる縮合脂肪酸のアルコール性水酸基と１価のカルボン酸とを脱水縮合させることにより得られる縮合脂肪酸のうち少なくともいずれか１種（Ｂ）１価または多価アルコールと１価のカルボン酸との脱水縮合物であるエステル化合物（Ｃ）アミン化合物（Ｄ）水【選択図】なし【特許請求の範囲】
【請求項１】
下記のＡ成分、Ｂ成分、Ｃ成分およびＤ成分を配合してなる水溶性金属加工油剤であって、
（Ａ）リシノール酸を脱水縮合させることにより得られる縮合脂肪酸、および、リシノール酸を脱水縮合させることにより得られる縮合脂肪酸のアルコール性水酸基と１価のカルボン酸とを脱水縮合させることにより得られる縮合脂肪酸のうち少なくともいずれか１種
（Ｂ）１価または多価アルコールと１価のカルボン酸との脱水縮合物であるエステル化合物
（Ｃ）アミン化合物
（Ｄ）水
前記Ａ成分の配合量が、油剤全量基準で１０質量％以上であり、
前記Ｂ成分の配合量が、油剤全量基準で５質量％以上である
ことを特徴とする水溶性金属加工油剤。
【請求項２】
請求項１に記載の水溶性金属加工油剤において、
該加工油剤が切削加工用または研削加工用であることを特徴とする水溶性金属加工油剤。
【請求項３】
請求項２に記載の水溶性金属加工油剤において、
該加工油剤がエンドミル加工用であることを特徴とする水溶性金属加工油剤。
【請求項４】
請求項１から請求項３までのいずれか１項に記載の水溶性金属加工油剤が難加工材の加工用であることを特徴とする水溶性金属加工油剤。
【請求項５】
請求項４に記載の難加工材がチタン、チタン合金、ニッケル合金、マグネシウム合金、ニオブ合金、タンタル合金、モリブデン合金、タングステン合金、ステンレス鋼、および高マンガン鋼のいずれかであることを特徴とする水溶性金属加工油剤。
【請求項６】
請求項１から請求項５までのいずれか１項に記載の水溶性金属加工油剤を、
使用時の濃度が３体積％以上となるように水で希釈して使用することを特徴とする水溶性金属加工油剤の使用方法。
【発明の詳細な説明】
【技術分野】
【０００１】
本発明は、切削や研削などの金属加工を行う際に使用される水溶性金属加工油剤およびその使用方法に関する。
【背景技術】
【０００２】
切削加工や研削加工には、鉱物油、動植物油あるいは合成油に対し、界面活性を持つ化合物を配合して水溶性油剤とし、これを水で希釈することにより、いわゆるＯ／Ｗ型エマルジョンなどとして用いられる場合が多い。
一方、界面活性を持つ化合物の代表的なものとしては、脂肪酸アミン塩やポリオキシアルキレングリコール、あるいはそのモノ、ジエーテル化合物などが挙げられる。例えば、水溶性油剤に求められる消泡性や耐腐敗性能を満足させる目的でリシノール酸重合物のアミン塩などを配合することが提案されている（特許文献１参照）。また、切削加工や研削加工の効率を高める目的で、従来塩素化パラフィンが配合されてきたが、人体に有害なダイオキシンが発生する恐れなどが指摘され、代替物として硫黄やリンなどの化合物を配合することが提案されている（特許文献２参照）。
【先行技術文献】
【特許文献】
【０００３】
【特許文献１】特公平２−５７９９号公報
【特許文献２】特開昭６０−１４１７９５号公報
【発明の概要】
【発明が解決しようとする課題】
【０００４】
しかしながら、特許文献１のように、リシノール酸重合物のアミン塩と鉱物油を配合して得られる油剤では、チタン合金などの難削材を加工した場合、潤滑性の不足などにより加工工具への負荷が高くなり、工具寿命が短くなるなどの問題がある。また、特許文献２のように、硫黄やリンなどを配合すると、環境や人体への影響が懸念される。
【０００５】
そこで、本発明は、塩素、硫黄あるいはリンを含有する化合物を配合しなくとも難加工材に対して優れた加工性を発揮でき、工具寿命を延ばすことの可能な水溶性金属加工油剤を提供することを目的とする。
【課題を解決するための手段】
【０００６】
前記課題を解決すべく、本発明は、下記のような水溶性金属加工油剤およびその使用方法を提供するものである。
（１）下記のＡ成分、Ｂ成分、Ｃ成分およびＤ成分を配合してなる水溶性金属加工油剤であって、前記Ａ成分の配合量が、油剤全量基準で１０質量％以上であり、前記Ｂ成分の配合量が、油剤全量基準で５質量％以上であることを特徴とする水溶性金属加工油剤。
（Ａ）リシノール酸を脱水縮合させることにより得られる縮合脂肪酸、および、リシノール酸を脱水縮合させることにより得られる縮合脂肪酸のアルコール性水酸基と１価のカルボン酸とを脱水縮合させることにより得られる縮合脂肪酸のうち少なくともいずれか１種
（Ｂ）１価または多価アルコールと１価のカルボン酸との脱水縮合物であるエステル化合物
（Ｃ）アミン化合物
（Ｄ）水
（２）上述の（１）に記載の水溶性金属加工油剤において、該加工油剤が切削加工用または研削加工用であることを特徴とする水溶性金属加工油剤。
（３）上述の（２）に記載の水溶性金属油剤において、該加工油剤がエンドミル加工用であることを特徴とする水溶性金属加工油剤。
（４）上述の（１）から（３）までのいずれか１つに記載の水溶性金属加工油剤が難加工材の加工用であることを特徴とする水溶性金属加工油剤。
（５）上述の（４）に記載の難加工材がチタン、チタン合金、ニッケル合金、マグネシウム合金、ニオブ合金、タンタル合金、モリブデン合金、タングステン合金、ステンレス鋼、および高マンガン鋼のいずれかであることを特徴とする水溶性金属加工油剤。
（６）上述の（１）から（５）までのいずれか１つに記載の水溶性金属加工油剤を、使用時の濃度が３体積％以上となるように水で希釈して使用することを特徴とする水溶性金属加工油剤の使用方法。
【発明の効果】
【０００７】
本発明の水溶性金属加工油剤によれば、加工工具と加工材との摩擦低減効果に優れており、チタンやチタン合金のようないわゆる難加工材に適用した場合であっても、工具寿命を大幅に延長することができる。
【発明を実施するための形態】
【０００８】
本発明の水溶性金属加工油剤（以下、「本油剤」ともいう）は、下記のＡ成分、Ｂ成分、Ｃ成分、およびＤ成分を配合してなることを特徴とする。すなわち、本油剤は、使用時に水で希釈することを前提とした原液である。
（Ａ）リシノール酸を脱水縮合させることにより得られる縮合脂肪酸、および、リシノール酸を脱水縮合させることにより得られる縮合脂肪酸のアルコール性水酸基と１価のカルボン酸とを脱水縮合させることにより得られる縮合脂肪酸のうち少なくともいずれか１種
（Ｂ）１価または多価アルコールと１価のカルボン酸との脱水縮合物であるエステル化合物
（Ｃ）アミン化合物
（Ｄ）水
【０００９】
まず、Ａ成分について説明する。Ａ成分は、リシノール酸（１２−ヒドロキシオクタデカ−９−エノン酸）を脱水重縮合することにより得られる。リシノール酸を例えば、不活性雰囲気下２００℃程度に加熱すると脱水重縮合が始まり、重縮合脂肪酸が得られる。このような重縮合脂肪酸を本発明におけるＡ成分として使用できる。
【００１０】
また、Ａ成分は、リシノール酸を脱水重縮合させることにより得られる重縮合脂肪酸のアルコール性水酸基と１価のカルボン酸とを脱水縮合させることにより得られる重縮合脂肪酸であってもよい。このような重縮合脂肪酸は、上述したリシノール酸の脱水重縮合体にさらに１価のカルボン酸を加えて脱水重縮合を行うことにより得られる。
この反応に用いられる１価のカルボン酸としては、飽和カルボン酸でも不飽和カルボン酸でもよいが、炭素数の小さいカルボン酸が未反応物として残留した場合、不快臭や金属腐食の原因となるおそれがあることことから炭素数４以上のカルボン酸が好ましい。飽和カルボン酸としては、カプロン酸、エナント酸、カプリル酸、２−エチルヘキサン酸、ペラルゴン酸、イソノナン酸、カプリン酸、ネオデカン酸、ラウリン酸、ミリスチン酸、パルミチン酸、ステアリン酸、アラキジン酸、ベヘン酸およびリグノセリン酸などが挙げられる。不飽和カルボン酸としては、ウンデシレン酸、オレイン酸、エライジン酸、エルカ酸、ネルボン酸、リノール酸、γ-リノレン酸、アラキドン酸、α-リノレン酸、ステアリドン酸、エイコサペンタエン酸、およびドコサヘキサエン酸などが挙げられる。
【００１１】
次にＢ成分について説明する。Ｂ成分は、１価または多価アルコールと１価のカルボン酸との脱水縮合物である。すなわち、Ｂ成分はエステル化合物である。１価または多価アルコールとしては特に制限はなく、種々のアルコールが適用可能である。１価のアルコールとしては、例えばメチルアルコール、エチルアルコール、ｎ−またはイソプロピルアルコール、各種ブチルアルコール、各種ペンチルアルコール、各種ヘキシルアルコール、各種オクチルアルコール、各種デシルアルコール、各種ドデシルアルコールなどの脂肪族１価アルコール、シクロペンチルアルコール、シクロヘキシルアルコールなどの脂環式１価アルコール、ベンジルアルコール、フェネチルアルコールなどの芳香脂肪族アルコールなどが挙げられる。
【００１２】
２価のアルコールとしては、例えばエチレングリコール、プロピレングリコール、ブチレングリコール、ネオペンチレングリコール、テトラメチレングリコールなどの脂肪族アルコール、シクロヘキサンジオール、シクロヘキサンジメタノールなどの脂環式アルコールが挙げられる。３価のアルコールとしては、例えばグリセリン、トリメチロールプロパン、トリメチロールエタン、トリメチロールブタン、１，３，５−ペンタントリオールなどの脂肪族アルコール、シクロヘキサントリオール、シクロヘキサントリメタノールなどの脂環式アルコールなどが挙げられる。４価以上のアルコールとしては、例えばペンタエリスリトール、ジグリセリン、トリグリセリン、ソルビトール、ジペンタエリスリトールなどの脂肪族アルコールなどを挙げることができる。
１価のカルボン酸としては、Ａ成分を製造する際に用いられた１価のカルボン酸を適用することができる。
【００１３】
次にＣ成分について説明する。Ｃ成分は、アミン化合物である。このようなアミン化合物としては、１級、２級および３級アミンのいずれであってもよく、さらにアルコールアミンであってもよい。
１級アミンの例としては、モノエタノールアミン、モノプロパノールアミン、モノイソプロパノールアミン、２−アミノ−１−ブタノール、２−アミノ−２−メチルプロパノール、ブチルアミン、ペンチルアミン、ヘキシルアミン、シクロヘキシルアミン、オクチルアミン、ラウリルアミン、ステアリルアミン、オレイルアミン、ベンジルアミンなどを挙げることができる。
２級アミンの例としては、ジエチルアミン、ジイソプロピルアミン、ジブチルアミン、ジペンチルアミン、ジヘキシルアミン、ジシクロヘキシルアミン、ジオクチルアミン、ジラウリルアミン、ジステアリルアミン、ジオレイルアミン、ジベンジルアミン、ジエタノールアミン、ピペラジン、ジイソプロパノールアミン、ステアリルエタノールアミン、デシルエタノールアミン、ヘキシルプロパノールアミン、ベンジルエタノールアミン、フェニルエタノールアミン、およびトリルプロパノールアミンなどを挙げることができる。
【００１４】
３級アミンの例としては、トリブチルアミン、トリペンチルアミン、トリヘキシルアミン、トリシクロヘキシルアミン、トリオクチルアミン、トリラウリルアミン、トリステアリルアミン、トリオレイルアミン、トリベンジルアミン、メチルジシクロヘキシルアミン、ジオレイルエタノールアミン、ジラウリルプロパノールアミン、ジオクチルエタノールアミン、ジブチルエタノールアミン、ジエチルエタノールアミン、ジメチルエタノールアミン、ジヘキシルプロパノールアミン、ジブチルプロパノールアミン、オレイルジエタノールアミン、ステアリルジプロパノールアミン、ラウリルジエタノールアミン、オクチルジプロパノールアミン、ブチルジエタノールアミン、メチルジエタノールアミン、シクロヘキシルジエタノールアミン、ベンジルジエタノールアミン、フェニルジエタノールアミン、トリルジプロパノールアミン、キシリルジエタノールアミン、トリエタノールアミン、トリプロパノールアミン、トリイソプロパノールアミンなどを挙げることができる。
これらのアミン化合物は、Ａ成分（カルボン酸）とアミン塩を構成し、水溶性を向上させるとともに潤滑性に寄与する。
【００１５】
本油剤を構成するＤ成分は水である。特に、蒸留水のような高純度の水である必要はなく、水道水でよい。
本油剤は、上述のＡ成分からＤ成分までの４成分を配合してなることを特徴とする。ただし、Ａ成分の配合量は、油剤全量基準で１０質量％以上であり、２０質量％以上であることが好ましく３０質量％以上であることがより好ましい。Ａ成分の配合量が１０質量％未満であると、後述する希釈率とも関係するが、摩擦低減効果や工具寿命延長効果が十分得られないおそれがある。
【００１６】
また、Ｂ成分の配合量は、油剤全量基準で５質量％以上であり、１０質量％以上であることが好ましく、１５質量％以上であることがより好ましい。Ｂ成分の配合量が５質量％未満であると、後述する希釈率とも関係するが、摩擦低減効果や工具寿命延長効果が十分得られないおそれがある。
【００１７】
本油剤（原液）を製造する際は、上述のＡ成分、Ｂ成分およびＣ成分に対し、Ｄ成分として水を加えて調製する。原液調製用の水の割合は５質量％以上、７５質量％以下程度が好ましい。水の割合が５質量％未満であると、Ａ成分からＣ成分までの溶解が困難となり、原液の調製が煩雑となる。また、原液調製用の水の割合が７５質量％を超えると、原液としての保管量や輸送量が過大となりハンドリング性が低下する。
【００１８】
上述の原液は、使用時にさらに水で希釈されるが、本油剤の濃度が、３体積％以上となるように希釈することが好ましく、希釈時のより好ましい濃度は５体積％以上であり、さらに好ましい総濃度は１０体積％である。水による希釈時における濃度が３体積％未満であると、摩擦低減効果や工具寿命延長効果が十分に得られないおそれがある。
ただし、本発明では、原液であっても希釈液であってもすべての配合成分が均一に溶解することを必須とするものではない。従って、エマルジョンのような分散形態であってもよい。
【００１９】
なお、本油剤に対しては、本発明の目的を阻害しない範囲でさらに他の成分を配合することができる。例えば、潤滑性向上剤、金属不活性化剤、消泡剤、殺菌剤および酸化防止剤等を配合することができる。
潤滑性向上剤としては、鉱物油、合成油、植物油、有機酸、および界面活性剤等が挙げられる。
鉱物油としては、例えば、パラフィン系原油、中間基系原油またはナフテン系原油を常圧蒸留するか、あるいは常圧蒸留残渣油を減圧蒸留して得られる留出油、これらの留出油を常法に従って精製することによって得られる精製油、具体的には溶剤精製油、水添精製油、脱ロウ処理油、白土処理油などが挙げられる。
合成油としては、例えば、低分子量ポリブテン、低分子量ポリプロピレン、アルキルベンゼン、アルキルナフタレンなどのアルキルアロマ系化合物、シリコーン油、フッ素系オイル（例えば、フルオロカーボン、パーフルオロポリエーテルなど）などが挙げられる。
植物油としては、例えば、綿実油、オリーブ油、ナタネ油、ゴマ油、ひまわり油、やし油、パーム油、トール油、大豆油、ヒマシ油、亜麻仁油等が挙げられる。
【００２０】
有機酸としては、例えば、カプリル酸、ペラルゴン酸、イソノナン酸、カプリン酸、ラウリン酸、ステアリン酸、オレイン酸、安息香酸、ｐ−ｔｅｒｔ−ブチル安息香酸、アジピン酸、スベリン酸、セバシン酸、アゼライン酸、ドデカン二酸等が挙げられる。
界面活性剤としては、アニオン性界面活性剤、カチオン性界面活性剤、非イオン性界面活性剤、および両性界面活性剤などが挙げられる。アニオン性界面活性剤としては、アルキルベンゼンスルホン酸塩、アルファオレフィンスルホン酸塩等がある。カチオン性界面活性剤としては、アルキルトリメチルアンモニウム塩、ジアルキルジメチルアンモニウム塩、アルキルジメチルベンジルアンモニウム塩などの四級アンモニウム塩等がある。非イオン性界面活性剤としては、ポリオキシエチレンアルキルエーテル、ポリオキシエチレンアルキルフェニルエーテルなどのエーテルや、ソルビタン脂肪酸エステル、ポリオキシエチレンソルビタン脂肪酸エステル、ポリオキシエチレン脂肪酸エステルなどのエステル、脂肪酸アルカノールアミドのようなアミドが挙げられる。両性界面活性剤としては、ベタイン系としてアルキルベタインなどが挙げられる。
【００２１】
金属不活性化剤としては、例えば、ベンゾトリアゾール、イミダゾリン、ピリミジン誘導体、およびチアジアゾール等が挙げられる。
酸化防止剤としては、アルキル化ジフェニルアミン、フェニル−α−ナフチルアミン、アルキル化フェニル−α−ナフチルアミン等のアミン系酸化防止剤、２，６−ジ−ｔ−ブチルフェノール、４，４’−メチレンビス（２，６−ジ−ｔ−ブチルフェノール）、イソオクチル−３−（３，５−ジ−ｔ−ブチル−４−ヒドロキシフェニル）プロピオネート、ｎ−オクタデシル−３−（３，５−ジ−ｔ−ブチル−４−ヒドロキシフェニル）プロピオネート等のフェノール系酸化防止剤、ジラウリル−３，３’−チオジプロピオネイト等の硫黄系酸化防止剤、ホスファイト等のリン系酸化防止剤、さらにモリブデン系酸化防止剤が挙げられる。
殺菌剤としては、例えば、トリアジン系防腐剤、アルキルベンゾイミダゾール系防腐剤などが挙げられる。
消泡剤としては、メチルシリコーン油、フルオロシリコーン油、ポリアクリレートなどを挙げることができる。
【００２２】
本発明の水溶性金属加工油剤は、前記したようにその使用目的に応じて適当な濃度になるよう適宜水に希釈して、切削加工、研削加工をはじめ、打抜き加工、研磨、絞り、抽伸、圧延等の各種の金属加工分野に好適に利用することができる。そして、本発明の水溶性金属加工油剤は、潤滑性に非常に優れるため、いわゆる難加工材の加工に適している。具体的には、チタン、チタン合金、ニッケル合金、マグネシウム合金、ニオブ合金、タンタル合金、モリブデン合金、タングステン合金、ステンレス鋼、および高マンガン鋼などの難加工材の加工に好適である。特にこのような難加工材のエンドミル加工用として好ましく用いることができる。
本発明においては、塩素、硫黄あるいはリンを含有する化合物をさらに配合することを必ずしも否定しないが、環境負荷や人体への悪影響を考慮すれば、これらの元素を含有する化合物の配合は基本的に控えるべきである。本発明は、塩素、硫黄あるいはリンを含有する化合物を配合しなくとも難加工材に対して優れた加工性を発揮できるところに特徴がある。
【実施例】
【００２３】
次に、本発明を実施例によりさらに詳細に説明するが、本発明はこれらの例によってなんら限定されるものではない。
〔実施例１から７まで、比較例１から８まで〕
表１、２に示す配合処方により水溶性金属加工油剤（原液）を調製した。各成分の詳細は以下の通りである。
【００２４】
【表１】
2011111593.tif 000002
【００２５】
【表２】
2011111593.tif 000003
【００２６】
１）リシノール酸を窒素気流下、２００℃で加熱脱水縮合し、さらにラウリン酸を加え、加熱脱水縮合することにより、酸価：８５ｍｇＫＯＨ／ｇ、水酸基価：９ｍｇＫＯＨ／ｇ、けん化価：２００ｍｇＫＯＨ／ｇの脱水重縮合脂肪酸１を得た。
２）リシノール酸を窒素気流下、２００℃で加熱脱水縮合することにより、酸価：５２ｍｇＫＯＨ／ｇ、水酸基価：２０ｍｇＫＯＨ／ｇ、けん化価：１９６ｍｇＫＯＨ／ｇの脱水重縮合脂肪酸２を得た。
３）ナフテン系鉱物油、４０℃動粘度：２６ｍｍ２／ｓ
【００２７】
前記した配合処方の原液を水で希釈した後、以下の各特性について評価を行った。評価結果を表１、２に示す。
＜摩擦低減効果＞
往復動摩擦試験機を用い、下記条件で摩擦部分を摺動させて摩擦実験を行ない、最終摺動時における摩擦係数を測定した。
試験球  ：  直径  ３／１６インチ、材質  超硬
試験板  ：  材質  チタン合金（Ｔｉ−６Ａｌ−４Ｖ）
荷重    ：  １．９６Ｎ（２００ｇｆ）
摺動速度：  ２０ｍｍ／ｓ
摺動距離：  ４０ｍｍ
摺動回数：  １０回
実験温度：  ２５℃
希釈濃度：  １０体積％（水による希釈）
（実施例１の原液については、希釈濃度５体積％および２．５体積％についても測定を行った。）
塗布液量：  ０．０５ｍｌ
【００２８】
＜切削性（エンドミル加工）＞
立型マシニングセンターを用いて下記条件でエンドミル加工を行い、工具の逃げ面摩耗が０．２ｍｍを超過するか、工具欠損が生じた場合を工具寿命とし、工具寿命に至るまでの加工時間を比較した。
使用設備    ：立型マシニングセンターＮＶ５０００α１／Ａ４０  森精機製作所製
被削材      ：Ｔｉ-６ＡＬ-４Ｖ、φ１５０×３０ｍｍ、形状・円板
インサート  ：ＸＯＭＸ０９０３０８ＴＲ−ＭＥ０６、Ｆ４０Ｍ（Ｓ３０種）ＳＥＣＯ  ＴＯＯＬＳ製
カッター    ：Ｈｅｌｉｃａｌ  Ｍｉｃｒｏ  Ｔｕｒｂｏ
Ｒ２１７．６９−２０２０．３−０１６−０９．２ＳＥＣＯ  ＴＯＯＬＳ製
ホルダ      ：ＨＳＫ６３ＡミーリングチャックＣＴ２０Ａ  ＮＴツール製
切削速度    ：５５ｍ／ｍｉｎ
切り込み    ：ａｐ（工具軸方向）＝２ｍｍ、ａｅ（工具径方向）＝１６ｍｍ
送り        ：０．１ｍｍ／ｔｏｏｔｈ
給油方法    ：外部給油、３．７Ｌ／ｍｉｎ
希釈濃度    ：１０体積％（水による希釈）
【００２９】
〔評価結果〕
表１に示すように、本発明の水溶性金属加工油剤は、所定の３成分を所定の量だけ配合してなるので、摩擦係数が小さく、難加工材を加工した際にも工具寿命が長いことが理解できる。なお、実施例１の原液については、希釈濃度５体積％の場合の摩擦係数が０．２３であり、希釈濃度２．５体積％の場合の摩擦係数が０．２９であった。
一方、表２に示すように、所定の３成分を配合していないか、仮に配合していたとしても、その配合量が所定の範囲にない油剤では、摩擦係数が高く、工具寿命も短い。